(57)【要約】電子物品（１９０）で使用するためのタッチパッド組立体（２０２）であり、該タッチパッド組立体は、タッチパッド（２０２）と、該タッチパッド（２０２）を電子物品のケーシング（１９８）に機械的に結合するためのカプラと、結合手段（６６）によってカプラ又はタッチパッド上に取り付けられケーシングを音響ラジエータとして駆動する変換器（１０８）とを備える。電子物品は同様のものを組み込んでいる。電子物品（１９０）は、内部又はその上に撓み波ラウドスピーカが取り付けられた本体を備え、ラウドスピーカが撓み波音響ラジエータ（２０４）と、ラジエータ（２０４）に取り付けられ該ラジエータを振動させて音響出力を生成する電気機械式力変換器（１０８）とを有し、変換器（１０８）は、意図された作動周波数領域を有し、該作動周波数領域のモードの周波数分布を有する共振素子と、変換器（１０８）をラジエータに取り付ける結合手段（６６）とが設けられている。【選択図】図７
2005500725.tif 000002
【特許請求の範囲】
【請求項１】
電子物品で使用するためのタッチパッド組立体であって、
タッチパッドと、
該タッチパッドを前記電子物品のケーシングに機械的に結合するためのカプラと、
前記ケーシングを音響ラジエータとして駆動するために前記カプラ又は前記タッチパッド上に結合手段によって取り付けられた変換器と、
を備えるタッチパッド組立体。
【請求項２】
前記カプラは、前記タッチパッドの外周を取り囲むフレームの形態である請求項１に記載のタッチパッド組立体。
【請求項３】
前記変換器は、前記フレーム上に取り付けられる請求項２に記載のタッチパッド組立体。
【請求項４】
前記変換器は、意図された作動周波数領域を有し、該作動周波数領域のモードの周波数分布を有する共振素子を備える請求項１乃至３のいずれか１項に記載のタッチパッド組立体。
【請求項５】
前記結合手段は、前記カプラ又は前記タッチパッドに対して、前記共振素子のモード動作を結合するのに有利な位置で前記共振素子に取り付けられる請求項４に記載のタッチパッド組立体。
【請求項６】
前記共振素子のパラメータは、前記作動周波数領域の共振素子のモード分布を向上させるように選択される請求項４又は請求項５に記載のタッチパッド組立体。
【請求項７】
前記分布は、共振素子の第１のモードを対象最低動作周波数に確実に近づけることによって向上される請求項６に記載のタッチパッド組立体。
【請求項８】
前記共振素子のモード分布は、前記分布が前記能動素子において周波数に関して実質的に一定の有効平均力を与えるのに十分なモード密度を有することを確保することによって向上される請求項６又は請求項７に記載のタッチパッド組立体。
【請求項９】
前記モード分布は、前記共振撓み波モードを実質的に周波数において均一に分布させることによって向上される請求項６乃至請求項８のいずれか１項に記載のタッチパッド組立体。
【請求項１０】
前記共振素子は２つの実質的に直角な軸に沿ってモード性を有し、各軸が関連する基本周波数を有し、前記の２つの関連する基本周波数比は最良のモード分布のために調整されている請求項６乃至請求項９のいずれか１項に記載のタッチパッド組立体。
【請求項１１】
前記の２つの基本周波数比は９：７である請求項１０に記載のタッチパッド組立体。
【請求項１２】
前記変換器は、各々がモード分布を有する複数の共振素子を備え、前記共振素子のモードが前記作動周波数領域においてインターリーブして、装置全体として前記変換器のモード分布が向上されるように配置されている請求項４乃至請求項１１のいずれか１項に記載のタッチパッド組立体。
【請求項１３】
前記共振素子は、前記変換器のモダリティを向上させる結合点において結合され請求項１２に記載のタッチパッド組立体。
【請求項１４】
前記各変換器の前記モード分布は、各共振素子の前記基本共振周波数の周波数比を最適化することによって向上される請求項１２又は請求項１３に記載のタッチパッド組立体。
【請求項１５】
前記共振素子はプレート形状である請求項４乃至請求項１４のいずれか１項に記載のタッチパッド組立体。
【請求項１６】
前記共振素子の形状は、ビーム形、台形、超楕円形、略ディスク形、又は矩形から成るグループから選択される請求項４乃至請求項１５のいずれか１項に記載のタッチパッド組立体。
【請求項１７】
前記変換器は、少なくとも１つの能動の共振素子を備える請求項４乃至請求項１６のいずれか１項に記載のタッチパッド組立体。
【請求項１８】
前記変換器は、少なくとも１つの受動の共振素子と能動素子とを備える請求項４乃至請求項１６のいずれか１項に記載のタッチパッド組立体。
【請求項１９】
前出の請求項のいずれか１項に記載のタッチパッド組立体内又はその上に取り付けられた本体を備える電子物品。
【請求項２０】
前記変換器は、前記タッチパッドと該タッチパッドを取り囲む前記本体との両方を駆動して音響出力を生成し、かつ前記本体が主音響ラジエータとして機能する請求項１９に記載の電子物品。
【請求項２１】
前記本体に取り付けられた少なくとも１つの追加の変換器を備える請求項２０に記載の電子物品。
【請求項２２】
内部又はその上に撓み波ラウドスピーカが組み込まれた本体を備え、前記ラウドスピーカが、撓み波音響ラジエータと、前記ラジエータに取り付けられ該ラジエータを振動させて音響出力を生成する電気機械式力変換器とを有する電子物品であって、
前記変換器が、意図された作動周波数領域を有し、かつ該作動周波数領域のモードの周波数分布を有する共振素子と前記変換器を前記ラジエータに取り付ける結合手段とが設けられたことを特徴とする電子物品。
【請求項２３】
前記結合手段は、前記ラジエータに対して、前記共振素子のモード動作を結合するのに有利な位置で前記共振素子に取り付けられる請求項２２に記載の電子物品。
【請求項２４】
前記音響ラジエータは前記本体と一体成型される請求項２２又は請求項２３に記載の電子物品。
【請求項２５】
前記共振素子のパラメータは、前記作動周波数領域の前記共振素子のモード分布を向上させるように選択される請求項２２乃至請求項２４のいずれか１項に記載の電子物品。
【請求項２６】
使い捨てであることを特徴とする請求項１９乃至請求項２５のいずれか１項に記載の電子物品。
【発明の詳細な説明】
【技術分野】
【０００１】
本発明は電子物品に関し、より詳細には例えば、携帯電話、個人用管理手帳、及びポケットラジオのような個人用途の電子物品などの、低出力の又は電力自給式の物品に関する。
【背景技術】
【０００２】
国際特許出願ＷＯ００／６９２１２により、内部又はその上に撓み波ラウドスピーカが装着された本体又はケーシングを有する個人用の携帯型電子物品が提供されることが知られている。撓み波ラウドスピーカは、音響ラジエータと、ラジエータに取り付けられ該ラジエータを振動させて音響出力を生成する振動励振器とを備える。ラジエータは射出成形によって本体又はケーシングと一体成形され、本体又はケーシングの副領域を定める。個人用の携帯型電子物品とは手持ちできるほど十分小さい物品を意味する。
【０００３】
ラジエータは国際特許出願ＷＯ９７／０９８４２に記載された種類の分布モード音響ラジエータスピーカとすることができる。
【０００４】
一般に、個人用の携帯型電子物品は低出力装置又は電力自給式装置のいずれかである。
【０００５】
【特許文献１】
国際特許出願ＷＯ００／６９２１２公報
【特許文献２】
国際特許出願ＷＯ９７／０９８４２公報
【発明の開示】
【課題を解決するための手段】
【０００６】
本発明によれば、電子物品は撓み波ラウドスピーカが内部又はその上に装着された本体又はケーシングを備え、該ラウドスピーカが、撓み波音響ラジエータと、該ラジエータに取り付けられ該ラジエータを振動させて音響出力を生成する電気機械式力変換器とを備え、該変換器は、意図された作動周波数領域を有し、かつ作動周波数領域のモードの周波数分布を有する共振素子と前記変換器をラジエータに取り付ける結合手段とが設けられている。該結合手段は前記共振素子に取り付けてもよい。
【０００７】
電子物品は、例えば光又は赤外線電源のいずれかを備えた遠隔電源の物品でもよい。従って、電子物品は、無線パネル、個人用ＰＡ、又は太陽電池パネルから選択することができる。電子物品は、ポータブルラジオ、ウオークマン、個人用携帯型情報端末（ＰＤＡ）、電子玩具、ブザー、ポリフォニック又はモノフォニック音響器、チャイム、電子ノベルティ、ラップトップ、コンピュータマウス、キーボード、ディスプレイケース、パーソナルコンピュータ、モニタ、又はテレビのような、例えばコードレス製品といった低出力物品でもよい。電子物品はまた、例えば使い捨てのスピーカ又はブザー、低コストの通信装置、クレジットカード、ノベルティ、本又はカードなどの使い捨てでもよい。
【０００８】
音響ラジエータは、本体又はケーシングと共に成型すなわち一体成型することができる。ラジエータは透明にすることができ、例えばディスプレイスクリーンの領域を定めることができる。
【０００９】
音響ラジエータはタッチパッドであってもよい。音響ラジエータは、タッチパッドを取り囲むケーシングの全体又は一部とすることができる。結合手段は、例えばタッチパッドの外周を取り囲んでいるフレームによりケーシングと音響的に結合されたタッチパッドを備えることができる。変換器は、タッチパッドに対してタッチパッド上に直接か、又はフレーム上のいずれかに取り付けることができ、変換器はケーシングを駆動する。タッチパッドは一体式固定クリップ、或いはボルト、ネジ、又は差し込み固定具などの別個の固定部品を使用してケーシングに結合することができる。或いは、タッチパッドはケーシングに摩擦係止することができる。
【００１０】
このようにして、タッチパッド及び変換器を備える一体型組立体を使用して、音響ラジエータを駆動することができる。タッチパッド及び該タッチパッドを取り囲んでいるケーシングは、両方とも音響ラジエータとして機能し、ケーシングは第１の音響ラジエータとして機能する。必要であれば、少なくとも１つの変換器を追加して第１の音響ラジエータに取り付けることができる。タッチパッド組立体は、例えばラップトップ又は個人用携帯型情報端末などの任意の電子装置の標準的なタッチパッドと置き換えることができる。
【００１１】
共振素子は、例えば圧電変換器とすることができ、及び圧電材料のストリップの形態とすることができる能動型であってもよい。或いは、共振素子は受動型であってもよく、変換器は、例えば可動コイル変換器などの、慣性式又は接地式の振動式変換器、アクチュエータ又は励振器である能動変換器を更に備えることができる。能動変換器は、曲げ又は捻れ変換器（例えばＷＯ００／１３４６４で教示された種類の）であってもよい。更に変換器は、ハイブリッド変換器を形成する、受動素子と能動素子の組み合わせを備えることができる。
【００１２】
例えばラウドスピーカの音響ラジエータなどの構造体に力を印加するために、多くの変換器、励振器、又はアクチュエータ機構が開発されてきた。これらの変換器機構には、例えば可動コイル、可動磁石、圧電式又は磁気歪み式などの種々の形式がある。通常、コイル及び磁石式の変換器を使用する電気力学式スピーカは９９％の入力エネルギが熱として損失するのに対して、圧電式変換器には僅か１％の損失とすることができる。従って、圧電式変換器はその高効率の理由から普及している。
【００１３】
圧電式変換器には幾つかの問題があり、例えば、本質的に真鍮泊に匹敵するほど剛性が非常に高く、従って、音響ラジエータ、特に空気に対して適合させるのが難しい。変換器の剛性が高くなると基本共振モードの周波数が高周波側へと移動する。すなわち、該圧電変換器は２つの作動領域を有すると考えることができる。第１の作動領域は、変換器の基本共振周波数より低い領域である。これは「剛性制御」領域であり、ここでは周波数に伴って速度が上昇し、通常は出力応答を均等にする必要がある。これは利用可能な効率の損失につながる。第２の領域は、剛性領域を超える共振領域であり、共振が非常に激しいので一般には回避される。
【００１４】
更に、一般的な教示は、変換器における共振を抑制することであるので、一般に圧電変換器は、変換器の基本共振周波数以下の範囲だけで使用される。圧電変換器が基本共振周波数を超える範囲で使用される場合、共振のピークを抑制するために制振を加える必要がある。
【００１５】
圧電変換器に関する問題は、他の「スマートな」材料、すなわち磁気歪み、電気歪み、及びエレクトレット型の材料の変換器についても同様に当てはまる。例えば、Ｓｈｉｎｓｅｉ  Ｃｏｒｐｏｒａｔｉｏｎの欧州特許公開ＥＰ０９９３２３１Ａ、Ｓｈｉｎｓｅｉ  Ｃｏｒｐｏｒａｔｉｏｎの欧州特許公開ＥＰ０８８１８５６Ａ、Ｍｕｒａｔａ  Ｍａｎｕｆａｃｔｕｒｉｎｇ  Ｃｏ．  Ｌｉｍｉｔｅｄの米国特許第４，５９３，１６０号、Ｓａｎｙｏ  Ｅｌｅｃｔｒｉｃ  Ｃｏ．  Ｌｉｍｉｔｅｄの米国特許第４，４０１，８５７号、Ａｌｔｅｃ  Ｃｏｒｐｏｒａｔｉｏｎの米国特許第４，４８１，６６３号、及びＳａｗａｆｕｊｉの英国特許出願ＧＢ２，１６６，０２２Ａに記載されたような、種々の圧電変換器が公知である。しかしながら、本発明の目的は改良された変換器を使用することである。
【００１６】
本発明で使用される変換器は、意図的なモード変換器と考えることができる。結合手段は、インターフェースに対する共振素子のモード動作を結合するのに有利な位置で共振素子に取り付けることができる。共振素子の、例えばアスペクト比、撓み剛性、厚み及び寸法などのパラメータは、作動周波数領域における共振素子中のモード分布を向上させるように選択することができる。共振素子の撓み剛性と厚みは等方性又は異方性になるように選択することができる。撓み剛性及び／又は厚みは共振素子のモード分布を向上させるように選択することができる。例えばＦＥＡ又はモデル化を使用したコンピュータシミュレーションなどの解析を用いてパラメータを選択することができる。
【００１７】
分布は、能動素子の第１のモードを対象の最低動作周波数に確実に近づけることによって向上させることができる。分布はまた、作動周波数領域のモードを確実に満足できる、すなわち高い密度にすることによって向上させることができる。モード密度は能動素子に対して、周波数に関し実質的に一定の有効平均力を与えるのに十分であるのが好ましい。良好なエネルギ伝達により、モード共振の効果的な平滑化を得ることができる。或いは又は追加として、共振撓み波モード周波数に関して実質的に均一に分布させることによって、すなわちモードの「集群」又は群化に起因する周波数応答のピークを平滑化することによってモード分布を向上させることができる。このような変換器は、分布モード変換器又はＤＭＴとして知られている。
【００１８】
このような意図されたモード、すなわち分布モード変換器は国際特許出願ＷＯ００１／５４４５０に記載されている。
【００１９】
変換器は、各々がモード分布を有する複数の共振素子を備えることができ、共振素子のモードは、作動周波数領域にインターリーブして、装置全体として変換器のモード分布を向上させるように配置されている。共振素子は異なる基本周波数を有することができ、従って、共振素子の負荷、寸法、又は撓み波剛性などのパラメータは異なるものとすることができる。
【００２０】
共振素子は、例えば共振素子間の一般に剛性のスタブ上に、接続手段によって任意の好都合の方法で共に結合することができる。共振素子は、変換器のモダリティを向上させ、及び／又は力が付与されるべき場所での結合を向上させる結合点で結合されるのが好ましい。接続手段のパラメータは、共振素子のモード分布を向上させるように選択することができる。共振素子は積み重ねて配置することができる。結合点は軸方向に位置合わせすることができる。
【００２１】
共振素子はプレート形状、又は平面の外側に湾曲していてもよい。プレート形状の共振素子は、スロット又は切れ目が形成され、複合共振系を形成することができる。共振素子は、ビーム形、台形、超楕円形、又は略ディスク形であってもよい。若しくは、共振素子は矩形であってもよく、対称の短軸に沿った軸の周りで矩形の平面の外側に湾曲していてもよい。
【００２２】
共振素子は、２つの実質的に直角な軸に沿ってモード性があってもよく、各軸が関係する基本周波数を有する。２つの基本周波数比は、モード分布が最適となるように、例えば９：７（１．２８６：１）に調整することができる。
【００２３】
実施例として、そのようなモード変換器の構成は、以下のいずれかとすることができる。平坦な圧電ディスク、少なくとも２つ又は好適には少なくとも３つの平坦な圧電ディスクの組み合わせ、２つの同一の圧電ビーム、複数の同一圧電ビームの組み合わせ、湾曲した圧電プレート、複数の湾曲した圧電プレート又は２つの同一圧電ビームの組み合わせである。
【００２４】
各共振素子のモード分布のインターリーブは、共振素子の周波数比、すなわち各々の共振素子の各々の基本共振周波数の周波数比を最適化することによって向上させることができる。従って、互いに関連する各共振素子のパラメータは、変換器の全体モード分布を向上させるように変更することができる。
【００２５】
ビーム形状の２つの能動共振素子を使用する場合、２つのビームの周波数比（すなわち基本周波数比）は１．２７：１とすることができる。３つのビームを有する変換器においては、周波数比は１．３１５：１．１４７：１とすることができる。２つのディスクを有する変換器においては、高次モード密度を最適化する周波数比は１．１＋／−０．０２：１とすることができ、低次モード密度を最適化する周波数比は３．２：１とすることができる。３つのディスクを有する変換器においては、周波数比は３．０３：１．６３：１、又は８．１９：３．２０：１とすることができる。
【００２６】
結合手段のパラメータは、作動周波数領域の共振素子のモード分布を向上させるように選択することができる。結合手段は、例えば制御された接着層などの痕跡とすることができる。
【００２７】
結合手段は、変換器が非対称に結合されるように、パネルに対して非対称に配置することができる。例えば、パネル又は変換器の対称軸に対する変換器の位置又は配向を調整するなどの幾つかの方法で非対称を実現することができる。
【００２８】
結合手段は取付ラインを形成することができる。或いは結合手段は、共振素子の寸法に対して取付の領域が小さい場合、取付点又は小さな局所的領域を形成することができる。結合手段は、スタブの形態であってもよく、例えば３乃至４ｍｍの小さな直径とすることができる。結合手段は低質量とすることができる。
【００２９】
結合手段は、２つ以上の結合点を備えることができ、取付点及び／又は取付ラインの組合せを備えることができる。例えば、２つの取付点又は小さな局所的取付領域が使用でき、１つは能動素子の中心近傍に、１つは能動素子の端部に配置される。これは、一般に剛性があり固有共振周波数が高いプレート形状変換器にとって有用である。
【００３０】
或いは、単一の結合点だけを提供することもできる。これは、複合共振素子アレイの場合に利点をもたらすことができ、すべての共振素子の出力が単一の結合手段により合計され、その結果、負荷によって出力を合計することは不要である。結合手段は、共振素子上のアンチノードに配置されるように選択することができ、周波数に関して一定の平均力を与えるように選択することができる。結合手段は共振素子の中心から離して配置することができる。
【００３１】
取付ラインの位置及び／又は配向は、共振素子のモード密度を最適化するように選択することができる。取付ラインは、共振素子の対称線とは一致しないことが好ましい。例えば、矩形の共振素子においては、取付ラインは共振素子の対称短軸（すなわち中心線）からオフセットすることができる。取付ラインはパネルの対称軸に対して平行ではない配向とすることができる。
【００３２】
共振素子の形状は、共振素子のほぼ質量中心にあり、中心を外れた取付ラインをもたらすように選択することができる。この実施形態の１つの利点は、変換器がその質量中心に取り付けられるので慣性的な不均衡がないことである。これは不等辺四辺形すなわち台形である非対称形状の共振素子によって達成することができる。
【００３３】
ビーム形状又は略矩形の共振素子においては、取付ラインは共振素子の幅方向にわたって延びることができる。共振素子の領域は音響ラジエータの領域と比較して小さくてもよい。
【００３４】
音響ラジエータはパネル形態であってもよい。パネルは、平坦で軽量であってもよい。音響ラジエータの材料は、異方性又は等方性であってもよい。
【００３５】
音響ラジエータはＷＯ９７／０９８４２で教示されたような共振撓み波モード分布を有することができ、該音響ラジエータの特性は、共振撓み波モードが周波数に関して実質的に均一に分布するように選択することができ、すなわちモードの「集群」又は群化に起因する周波数応答のピークを平滑化するように選択することができる。
【００３６】
特に音響ラジエータの特性は、低周波数の共振撓み波モードが周波数に関して実質的に均一に分布するように選択することができる。低周波数の共振撓み波モードは音響ラジエータの１０乃至２０の最低周波数共振撓み波モードであるのが好ましい。
【００３７】
変換器位置は、音響ラジエータ中の共振撓み波モード、特に、低周波数共振撓み波モードに実質的に均一に結合するように選択することができる。換言すれば、変換器は、音響ラジエータの振動的に能動の共振アンチノードの数が比較的多く、その反対に共振ノードの数が比較的少ない位置に取り付けることができる。そのような任意の位置が使用できるが、最も好都合な位置は、音響ラジエータの長さ及び幅方向の各々に沿って３８％から６２％までの間の中心近傍であるが、中心を外れた位置である。特定の又は好適な位置は、軸に沿って３／７、４／９、又は５／１３の距離であり、長さ方向軸と幅方向軸に関しては異なる比率が好ましい。アスペクト比が１：１．１３又は１：１．４１の等方性パネルの好適な比率は長さ４／９、幅３／７である。
【００３８】
作動周波数領域は、比較的広範囲の周波数領域にわたり、可聴領域及び／又は超音波領域とすることができる。また、分布モード変換器の動作効力により、広範囲の帯域幅及び／又は可能性のある高出力が有用となるであろう、ソナー及び音源測距及びイメージングにおいて適用することができる。従って、変換器の単一の支配的な固有共振によって定められる範囲を超える領域にわたる動作を達成することができる。
【００３９】
作動周波数領域の最低周波数は、ほぼ変換器の基本周波数である、予め定められた下限より大きいことが好ましい。
【００４０】
例えば、ビーム状の能動共振素子に関しては、力はビーム中心から引き出すことができ、能動共振子が取り付けられている音響ラジエータのモード形状に適合することができる。このようにして、作用と反作用とが協働して周波数に関して一定の出力を与える。共振素子を共振素子のアンチノードで音響ラジエータと接続することによって、共振素子の一次共振が低インピーダンスになると思われる。このようにして、音響ラジエータは共振素子の共振を増幅しないはずである。
【００４１】
本発明の第２の実施態様によれば、例えばラップトップ又はＰＤＡなどの電子物品で使用するためのタッチパッド組立体が提供され、該タッチパッド組立体は、タッチパッドと、該タッチパッドを電子物品のケーシングに機械的に結合するための結合手段と、結合手段又はタッチパッドに取り付けられケーシングを音響ラジエータとして駆動する変換器とを備える。
【００４２】
結合手段は、タッチパッドの外周を取り囲むフレームの形態とすることができる。変換器は、タッチパッド又はフレーム上に取り付けることができる。タッチパッドは一体式固定クリップ、或いはボルト、ネジ、又は差し込み固定具などの別個の固定部品を使用してケーシングに結合することができる。或いは、タッチパッドはケーシングに摩擦係止することができる。
本発明は例証として添付図面に図式的に示される。
【発明を実施するための最良の形態】
【００４３】
図１Ａ及び１Ｂは、例えばポリフォニックな音響器、使い捨てブザー、クレジットカード、その他新規のラウドスピーカなどの、使い捨てラウドスピーカを示す。ラウドスピーカは、撓み波振動、好ましくは共振撓み波振動を支持可能なパネル（６０）と、接続スタブ（６６）によってパネル（６０）に取り付けられ撓み波振動を励振して音響出力を生成する変換器（６２）とを備える。該変換器（６２）は上述され及びＷＯ０１／５４４５０に記載されたように、意図的なモード変換器すなわち分布モード変換器である。変換器（６２）は圧電プレート要素（６４）を備える。接続リード線（６８）の形態の２本の可撓性ワイヤにより要素（６４）に電気入力を供給する。
【００４４】
図２は、図１Ａ及び１Ｂと同様のラウドスピーカ（５８）を示し、同じ要素には同じ参照番号が付与されている。ラウドスピーカ（５８）は可撓性周縁部（８６）によりラウドスピーカの外周の周りに広がる支持フレーム（８４）上に取り付けられる。支持フレーム（８４）によりラウドスピーカは表面支持体又は別の支持体に容易に取り付けることが可能になる。
【００４５】
図３は、コンピュータシステム（図示せず）のポインティングデバイスとして使用されるマウス（８８）の断面を示す。マウス（８８）は、ボール（９０）、下部ケース（９２）、及びカバー（９４）などの標準部品を備える。カバー（９４）は、撓み波振動、好ましくは共振撓み波振動を支持可能に設計されている。意図的なモード変換器（１０８）は接続スタブ（６６）によってカバー（９４）に取り付けられ、撓み波振動を励振して音響出力を生成する。
【００４６】
変換器は、上部及び下部バイモルフフビーム（１１２）及び（１１０）を備え、上部ビーム（１１２）はビーム幅にわたって延びるスタブ（６６）によってカバー（９４）に接続される。スタブの幅と高さは１−２ｍｍとすることができ、高質プラスチック及び／又は電気的短絡を防止するために適切な絶縁層を備えた金属で作ることができる。
【００４７】
上部ビーム（１１２）は下部ビーム（１１０）よりも長く、これらのビームは中心に取り付けられたスタブ（１５２）によって接続される。各ビームは３つの層から成り、外側の２つの層は圧電セラミック材料、例えばＰＺＴ  ５Ｈであり、中心の真鍮ベーンを間に挟む。外側の層は、厚さが通常１０−１５ミクロンの接着層によって真鍮ベーンに取り付けることができる。
【００４８】
図４は、撓み波振動、好ましくは共振撓み波振動を支持可能なパネル（６０）を示す。パネル（６０）は、パネル（６０）の外周の周りに延びる可撓性サスペンション（１５６）によって、閉鎖ボックス（１５４）内に取り付けられる。意図的なモード変換器（１０８）は、図３で使用されたものと同様に接続スタブ（６６）によってパネル（６０）に取り付けられ、撓み波振動を励振して音響出力を生成する。
【００４９】
閉鎖ボックス（１５４）は、全般的にはパネル（６０）の背面（１５５）から放射される音がパネルの前面（１５７）から放射される音と干渉するのを防止する。従って、ボックス（１５４）は音響相殺を防止するためのバッフルとして機能する。ボックス（１５４）は適切な吸収体を充填することができる。
【００５０】
図５は、標準部品、すなわちキー（１７０）を支持するケース（１７６）と、ケース（１７６）に対してヒンジ（１７８）の周りにヒンジ結合されたリッド（１８０）とを備える個人用携帯型情報端末（ＰＤＡ）（１５８）を示す。リッド（１８０）は、液晶ディスプレイ（ＬＣＤ）又は薄膜トランジスタ(ＴＦＴ)ディスプレイとすることができるディスプレイ（１７２）と、ディスプレイ（１７２）の前面に任意選択的に装着可能な前面ウィンドウ（１７４）を支持する。リッド（１８０）は撓み波振動、好ましくは共振撓み波振動を支持可能なように設計されている。図１Ａ及び図１Ｂの変換器（６２）のような意図的なモード変換器（６２）は、接続スタブ（６６）によってリッド（１８０）に取り付けられ、撓み波振動を励振して音響出力を生成する。
【００５１】
変換器（６２）は機械的信号源インピーダンスを有し、該インピーダンスがリッド（１８０）のインピーダンスと整合することにより、最大出力伝達を得ることができる。代替として又は更に、変換器はケース（１７６）に取り付けてもよい。
【００５２】
図６Ａ及び図６Ｂは、撓み波振動、好ましくは共振撓み波振動を支持可能なパネル（６０）と、図１Ａ及び図１Ｂの変換器（６２）のような意図的なモード変換器（６２）とを備えるラウドスピーカシステムを示す。変換器（６２）は接続スタブ（６６）によってパネル（６０）に取り付けられ、撓み波振動を励振して音響出力を生成する。
【００５３】
変換器（６２）の信号はパネル（６０）に取り付けられた増幅器（１８２）によって供給される。システムは更に、例えばバッテリ、太陽電池、又はダイレクト赤外線リンクなどの、増幅器に電力を供給する電源を備える。従って、ラウドスピーカシステム（１８６）は、無線パネル／個人用ＰＡ、電力自給式の太陽電池パネル、コードレス装置、又は携帯用ラジオ／ウオークマンで使用することができる無線装置として動作するよう適合される。システム（１８６）は、例えば光／赤外線電源などといった完全に遠隔の電源供給とすることができる。
【００５４】
図７及び図８は、以下の標準部品、すなわちキー（２００）及びタッチパッド（２０２）を支持するベース（１９８）と、該ベースに対してヒンジ（１９６）の周りにヒンジ結合されたリッド（１９４）とを備えるラップトップコンピュータ（１９０）を示す。ディスプレイスクリーン（１９２）はリッド（１９２）内に装着される。キー（２００）はスクリーン（１９２）に向いて配置される。ポインティング機能のために使用されるタッチパッド（２０２）は、ユーザに最も近接するベース（１９８）の縁部（２０１）中央近くに位置する。
【００５５】
図７において、図１Ａ及び図１Ｂの実施形態で使用されるような２つのモード変換器（６２）は、ベース内部のスタブ（６６）によってベース内側上面に取り付けられる。若しくは図８に示されるように、図３で使用される変換器のようなモード変換器（１０８）を使用することができる。ベースの上面は、ベースの全部又は一部の面を覆い、撓み波振動、好ましくは共振撓み波振動を支持可能な領域（２０４）を有するように設計される。いずれの実施形態においても、変換器は２つのこのような領域に取り付けられ、撓み波振動を励振して音響出力を生成する。変換器は局所的な機械的インピーダンスを駆動して高レベルの機械結合効率を実現するよう設計することができる。
【００５６】
図９Ａ及び図９Ｂは、図７及び図８のタッチパッド又は本発明の別の実施形態のタッチパッドと置き換えて使用することができるタッチパッド組立体（２０３）を示す。タッチパッド組立体（２０３）は、タッチパッド（２０２）と、タッチパッド（２０２）の周囲のまわりに延びるフレーム（２０５）と、フレームに取り付けられる変換器（２０７）とを備える。フレームは溝が形成されているので、その断面はほぼＵ字型の断面を有する。タッチパッド（２０２）と変換器（２０７）は両方とも溝内に取り付けられるが、小さな間隙（２１３）によって分離される。
【００５７】
タッチパッド（２０２）は、ガラス繊維強化プラスチックの回路基板材料で作られており、機械的インピーダンスはほぼ３．５９Ｎｓ／ｍである。タッチパッド（２０２）は厚さが約０．４ｍｍで、１７０ミクロンのプラスチックの積層体がタッチパッド（２０２）の前表面に接着されている。プラスチック積層体により装飾又は保護コーティングが得られる。
【００５８】
図９Ｃに示されるように、タッチパッド組立体（２０３）のフレーム（２０５）は、ラップトップコンピュータ又は個人用携帯型情報端末などの、電子装置のケーシング（２０９）に取り付けられる。変換器（２０７）はフレーム（２０５）中の撓み波振動を駆動する。フレーム（２０５）は機械的かつ音響的にケーシングに結合されるので、フレームの振動はケーシング（２０９）に伝達される。ケーシングは電子装置の主要な音響ラジエータを形成する。
【００５９】
変換器（２０７）は組み合わせられたタッチパッド及びリストパッドのインピーダンスと整合するように選択される。変換器は、好適にはＤＭＴであるが、代替として、例えば、可動コイル変換器、圧電変換器、磁気歪み励振器、或いは曲げ又はねじり変換器（例えばＷＯ００／１３４６４で教示される種類のもの）である、慣性式又は接地式の振動変換器、アクチュエータ又は励振器とすることができる。
【００６０】
図９Ｄはタッチパッド組立体が取り付けられるラップトップコンピュータの内部セクションを示す。図９Ｄは下方に面しているケーシングの上面図である。タッチパッド（２０２）は該タッチパッド（２０２）のどちらかの側面がリストレストを形成する領域（２４０）を有するケーシング（２０９）内に支持される。また、ケーシング（２０９）は、開口（２４１）を備え、そこに該開口をリストレスト領域（２４０）から分離する成型仕切り（２４２）によりキーボードが挿入される。１．５ｍｍ厚さのポリスチレンのストリップ（２４３）がリストレストの１つの縁の下方に取り付けられ、パネル境界条件に役立っている。第２のストリップ（図示せず）がタッチパッドの別の側面上でリストレストに取り付けられる。該ストリップはケーシング（２０９）の前面壁（２４４）と成型仕切り（２４２）との間に延びる。
【００６１】
ラップトップコンピュータの実施形態の各々において、見かけ上のがたつきを回避するために、ケーシング上の任意のボタン、及び中央処理ユニットのシャシをヒートシンクに接続するフィン付き金属箔に小さな発泡スペーサを装着することができる。
【００６２】
このような構成の利点は、タッチパッド及び変換器が単一の一体型組立体体に組み込まれるということである。更に、別の目的のために既に電気接続を支持するタッチパッド（２０２）に対して、変換器用の追加の電気接続（２１１）を容易に追加することができる。一体型組立体により複雑性、重量、及びコストを低減するばかりでなく、携帯用電子物品において重要な占有スペースが少なくて済むという可能性をもたらす。
【００６３】
図１０Ａ及び図１０Ｂは、既存のマイクロスピーカを備えた既知のＤＥＬＬ（商標）ラップトップコンピュータと、タッチパッドを図９Ａ乃至図９Ｃのタッチパッド組立体と置き換えたラップトップコンピュータの周波数応答を示す。測定値は、測定出力に対して影響しないほど十分に重い平坦なデスク上に載置されたラップトップコンピュータを使用して、リストパッドの２５ｃｍ上方で取られた。本発明によるラップトップコンピュータは、高音域レベルが改善される利点を有する。
【００６４】
更に、本発明によるラップトップコンピュータは実質的に容量性のインピーダンスのスピーカを有する。特に、インピーダンス係数は１ｋＨｚにおける１０００オームを超える値から１０ｋＨｚにおいて１００オームまで下降する。従って特に音楽の場合、スピーカの出力量は周波数が高くなると一般に下降する。
【００６５】
図１０Ｃは、タッチパッドが図９Ａに示されるものと同じ組立体と置き換えられたコンパック（商標）のラップトップコンピュータの特性を示す。変換器はタッチパッド上に取り付けられ、タッチパッドと該タッチパッドの両側のケーシング（リストレスト）の両方を駆動する。パネルの境界条件は図９Ｄのように定められる。タッチパッドの両側のリストレストは、等しい機械的インピーダンスを有するように適合される。変換器のインピーダンスは組み合わせられたパネルとリストレストの全体のインピーダンスと整合するように設計された。従って、変換器は通常のビームよりも幅が広い、長さがそれぞれ４２ｍｍと３９ｍｍの二重ビーム変換器である。
【００６６】
図示されるように図１０Ｃはおよそ４００Ｈｚの低周波数限界を有する。音響出力はパネル背面の音響負荷によって支配され、パネル後部の小空間が減少すると帯域幅は大幅に短縮されることになる。例えば、２００Ｈｚまで下方に拡張される帯域幅は６ｍｍの空間内で適切な変換器を使用して実現することができるが、空間が２ｍｍまで減少すると低周波数限界は６００Ｈｚまで上昇する。
【００６７】
図１１Ａは、タッチスクリーン（２１４）と、制御及びデータ入力のためのボタン（２１６）とを有する場合が多い個人用携帯型端末（ＰＤＡ）の正面図を示す。図９の断面図はＰＤＡを更に詳細に示す。ケース（２１８）は通常２つの部品で作られ、互いに嵌合してディスプレイスクリーン（２２０）を収容し、電子部品は内部プリント基板（２２４）上に取り付けられる。ケースの後部（通常プラスチック成型品）は、スタブ（６６）を介して変換器（１０８）を取り付けることによって音響を放射するために使用される。変換器（１０８）は、第２のスタブ（１５２）により接続された第２のビーム（１１０）と共にスタブ（６６）を駆動する長いビーム（１１２）を備える。この場合、長いビームはケース（２１８）に近接しているが、どのような弊害もなしにこの２つのビームを交換することができる。電気的入力の接続のためにリード線が設けられる。
【００６８】
図１２Ａは、例えば陰極線管として、又は液晶ディスプレイとして、任意の望ましい形態に形成された視覚的表示ユニット（１３７）の斜視図を示す。ユニット（１３７）は、前面にディスプレイスクリーン（３７）が取り付けられたボックス状のハウジング（１０１）と、後部面及び対向する側面（１０２）とを有する。図１２Ｂに更に明確に示されるように、ほぼ矩形のパネル（２）が、対向する側面（１０２）の各々の溝（３）によって定められる。各パネル（２）は２枚のスキン（２１）の間に挟まれたコア（２２）を備える。上述のように、二重ビーム変換器（１０８）が各パネル（２）に取り付けられ、パネル中に撓み波を放射／励振し、パネルを共振させて音響出力を生成する。
【００６９】
意図的なモード変換器（１０８）を使用すると、変換器の機械的インピーダンスを側面と整合させることによって良好な機械的結合を得ることができる。従って、音響性能が最適化されるように、すなわち軽量で高剛性にパネル（２）を特に設計することができても、これは不可欠なことではない。これによりモニタ／ＴＶ製造者によって使用される、製造上の要件及び方法を実質的に変更する必要性が回避される。
【００７０】
図１３Ａ乃至図１３Ｃは、クレジットカード（２２６）の本体（２２８）のポケット（２３０）内に単一ビームの変換器（６２）が装着されたクレジットカード（２２６）を示す。変換器（６２）はカードを駆動し、本体（２２８）と一体成型することができるスタブ（６６）により音響を放射する。ポケット（２３０）により、変換器（６２）の端部はカードの他の部分にいっさい接触せず自由に振動することが可能になる。カードは、電源、メモリ、信号処理装置、及び増幅器を備えることができ、変換器（６２）とリンクされたワイヤ（２３６）に接続された埋込型電子回路（２３０）により給電される。適切な紙、プラスチック、又は金属で作ることができる薄いカバー（２３２）が設けられ、変換器（６２）及び電子回路（２３０）を密閉する。
【００７１】
図１４は、表ページ（８３）と裏ページ（８５）を有する折り畳み部材の形態のグリーティング又は同様のカード（８１）を示す。変換器（６２）はページの内の１枚、好ましくは裏ページ（１４６）に小さなスタブ（図示せず）によって取り付けられ、該ページを振動させ、これを共振させて音響出力を生成する。変換器（６２）は信号発生器／増幅器バッテリユニット（８７）によって駆動され、該ユニットはカードの折り目に隠されたスイッチ（８９）によって始動され、その結果、カードを開いたときに合い信号発生器を始動させるようにする。
【００７２】
図１５Ａ及び図１５Ｂは、図１１Ａ及び図１１Ｂと同様のＰＤＡを示し、従って共通の要素は同じ参照番号を有する。このＰＤＡは、タッチスクリーン（２１４）を保護するリッド（２１５）を備え、該リッドが開いた位置、すなわち通常の使用位置で示されているという点で相違する。二重ビーム変換器（１０８）はスタブ（６６）によってリッド（２１５）に取り付けられ、リッド（２１５）をラウドスピーカとして使用することを可能にする。このスタブ（６６）はリッド（２１５）と一体成型することができる。変換器（１０８）は、スタブ（１５２）によって共に接続された、長さが異なる２つのビーム（１１０、１１２）を備える。ＰＤＡ（図示せず）の本体（２１８）内の駆動回路に対してワイヤによって電気接続を形成する。
【００７３】
残りの図は、図１乃至図１５ｂに具現化された埋込型ラウドスピーカと共に使用することができる別の変換器を示す。意図的なモード変換器は、可動コイル／永久磁石設計と比較して質量及び奥行きを小さく設計することができる。従って、このような変換器を使用すると、ラウドスピーカの全重量を低減すべきであり、該変換器はスペースが限られている設置に好適であるはずである。従って、該変換器は図１乃至図１５Ｂに示される携帯用装置には理想的である。
【００７４】
図１６は、スタブ（４８）形態の接続手段によって第２の圧電ビーム（５１）が後部に取り付けられた第１の圧電ビーム（４３）を備え、該スタブが両方のビームの中心に配置された変換器（４２）を示す。各ビームはバイモルフである。第１のビーム（４３）は圧電材料の２つの層（４４、４６）を備え、第２のビーム（５１）は２つの層（５０、５２）を備える。圧電材料の各層の極性方向は、矢印（４９）で示される。各層（４４、５０）はバイモルフ内の別の層（４６、５２）に対して反対の極性方向を有する。バイモルフはまた、平行電気接続を可能にすると同時に、セラミック圧電層に強化要素を付加する中心導電ベーンを備えることができる。各ビーム（４４、４６）の各々の層は同じ／異なる圧電材料で作ることができる。各層は一般に長さが異なる。
【００７５】
第１の圧電ビーム（４３）は、第１のビームの中心に配置されたスタブ（５６）の形態の結合手段によってパネル（５４）上に取り付けられる。第１のビームをその中心に取り付けることにより、偶数次のモードだけが出力を生成することになる。第２のビームを第１のビームの背後に配置し、両方のビームをスタブを用いて中心に結合することによって、両ビームは同軸に位置合わせされた、又は同一の位置を駆動していると考えることができる。
【００７６】
各要素が一体結合されると、各々の要素が他の要素のモードを変更するので、結果として得られるモード分布は周波数の別個のセットの合計にはならない。２つのビームは、これらの個々のモード分布がインターリーブされて、変換器の全体のモダリティを向上させるように設計されている。２つのモードは一体化され、対象の周波数領域にわたって有効な出力を生成する。偶数位モードにおける圧電ビーム間の個々の干渉により、局所的に狭いディップが発生する。
【００７７】
第２のビームは、２つのビームの基本共振周波数比を使用して選択することができる。材料及び厚みが同一の場合は、周波数比は長さの比の２乗となる。高いｆ０（基本周波数）が単純に他の大きなビームのｆ０とｆ１の間の中間に配置されると、より小さなビームのｆ３と、より低いビームのｆ４とは一致する。
【００７８】
２つのビームの周波数比に対するコスト関数のグラフをプロットすると、理想的な比率は１．２７：１であることが示され、すなわちこの点でコスト関数が最小になる。この比はＷＯ９７／０９４８２に記載された（ｆ０２：ｆ２０の比）「黄金」アスペクト比に相当する。変換器のモダリティの改善方法は、変換器の３つの圧電ビームを使用することによって拡張することができる。理想的な比は１．３１５：１．１４７：１である。
【００７９】
能動素子例えばビームを一体化する方法は、圧電ディスクの使用することに拡張することができる。２つのディスクを使用すると、２つのディスクのサイズ比は考慮に入れるモード数に依存する。高次モード密度では、約１．１＋／−０．０２から１までの基本周波数比が良好な結果をもたらすことができる。低次モード密度（すなわち最初の数モード又は最初の５モード）では、約３．２：１の基本周波数比が良好である。最初のギャップは、大きなディスクの第２のモードと第３のモードとの間に生じる。
【００８０】
各ディスクの第１の半径方向モードと第２の半径方向モードとの間に大きなギャップがあるので、２つのディスクよりは３つのディスクで非常に良好なインターリーブが得られる。二重ディスク変換器に第３のディスクを追加する場合に、第１の明白な目標は、先の場合の大きなディスクの第２のモードと第３のモードとの間のギャップを埋めることである。しかしながら、等比数列は、これが唯一の解決法でないことを示している。基本周波数ｆ０、α．ｆ０、α2．ｆ０を使用して、ｒｍｓ（α，α2）をプロットすると、αに関して２つの重要な最適値が存在する。その値は、約１．７２及び２．９０であり、後者の値は明白なギャップ充填法に対応している。
【００８１】
基本周波数ｆ０、α．ｆ０、及びβ．ｆ０を両スケーリングが自由なように使用し、上記αの値をシード値として使用すると、僅かに良好な最適値が得られる。パラメータ対（α，β）は、（１．６３，３．０３）及び（３．２０，８．１９）である。これら最適値は非常に浅く、すなわちパラメータ値の１０％、又は２０％の変動でさえ許容可能である。
【００８２】
組み合わせられるべき種々のディスクを決定する別の方法は、３つのディスクの半径比の関数としてコストを考慮することである。コスト関数は、ＲＳＣＤ（中心差分の和の比）、ＳＲＣＤ（中心差分の比の和）、及びＳＣＲ（中心比の和）とすることができる。モード周波数ｆ0、ｆ1、ｆn、．．．ｆNのセットに関して、これらの関数は以下のように定義される。
ＲＳＣＤ（中心差分の和の比）は
2005500725.tif 000003
ＳＲＣＤ（中心差分の比の和）は
2005500725.tif 000004
ＣＲは
2005500725.tif 000005
最適半径比、すなわちコスト関数が最小になるのは、すべてのコスト関数に関して１．３である。半径比の自乗が周波数比に等しいので、材料及び厚みが同じこれらのディスクでは、１．３×１．３＝１．６９であり、解析結果の１．６７は十分に満足するものである。
【００８３】
或いは又は追加として、受動素子を変換器に組み込み、全体のモダリティを改善することができる。能動及び受動素子はカスケード配置とすることができる。図１７は、能動及び受動要素のモードがインターリーブされるように、例えば薄い金属プレートの２つの受動共振素子（７４）と共に積み重ねられた２つの能動圧電素子（７２）を備える多層ディスク変換器（７０）を示す。
【００８４】
該素子は、各能動及び受動素子の中心に配置されたスタブ（７８）形態の接続手段によって接続される。要素は同心状に配置される。各素子は異なる寸法を有し、最小ディスクと最大ディスクは積層の頂部と底部にそれぞれ配置されている。変換器（７０）は、最大ディスクである第１の受動装置の中心に配置されたスタブ（７８）の形態の結合手段によって、パネルなどの負荷装置（７６）上に取り付けられている。
【００８５】
変換器のモダリティを改善する方法は、圧電プレートの形態の２つの能動素子を有する変換器まで拡張することができる。寸法が（１×α）及び（α×α2）の２枚のプレートは、（３／７，４／９）に位置で結合される。従って、周波数比は約１．３：１（１．１４×１．１４＝１．２９９６）である。
【００８６】
図１８に示されるように、結合手段（１０５）を有する圧電変換器（１０６）の端部に小質量体（１０４）を取り付けることができる。図１９において変換器（１１４）は、例えばＷ０９７／０９８４２に記載されたような、能動素子（１１５）形成するボイスコイルと、モードプレート（１１８）の形態の受動共振素子とを有する、慣性電気力学式可動コイル励振器である。能動素子（１１５）はモードプレート（１１８）上の該モードプレートの中心から外れて取り付けられる。
【００８７】
モードプレート（１１８）はカプラ（１２０）によってパネル（１１６）上に取り付けられる。カプラは能動素子の軸（１１９）と位置合わせされているが、パネル（１１６）の平面に垂直な軸（Ｚ）には一致しない。従って、変換器はパネル軸（Ｚ）と一致しない。能動素子は電線（１２２）を介して電気信号入力に接続される。モードプレート（１１８）は、そこからの音響放射を減少させるように穿孔され、能動素子はモードプレート（１１８）の中心から外れて、例えば最適な取付位置、すなわち（３／７，４／９）に配置される。
【００８８】
図２０はスタブの形態の結合手段（１２６）によってパネル（１２８）に取り付けられる能動圧電共振素子を備える変換器（１２４）を示す。変換器（１２４）とパネル（１２８）の幅対長さの比は両方とも１：１．１３である。結合手段（１２６）は変換器又はパネルのいずれの軸（１３０，Ｚ）とも位置合わせされていない。更に、結合手段の配置は最適の位置、すなわち変換器（１２４）とパネル（１２８）の両方に対して中心を外れた位置に配置される。
【００８９】
図２１はビームの形態の能動圧電共振素子形態の変換器（１３２）を示す。変換器（１３２）はスタブの形態の２つの結合手段（１３６）によってパネル（１３４）に結合される。１つのスタブはビームの端部（１３８）方向に配置され、他のスタブはビームの中心方向に配置される。
【００９０】
図２２は、結合手段（１４４）によって結合された２つの能動共振素子（１４２、１４３）と、該結合手段（１４４）及び共振素子（１４２）を取り囲むエンクロージャ（１４８）とを備える変換器（１４０）を示す。従って変換器は耐衝撃性及び衝突性がある。エンクロージャは、変換器の動作を妨げないように機械的インピーダンスの低いゴム又は類似のポリマーで作られる。ポリマーが耐水性であれば変換器（１４０）は防水性にすることができる。
【００９１】
上部共振素子（１４２）はスタブの形態の結合手段を介してパネル（１４５）に結合される下部共振素子（１４３）よりも大きい。スタブは下部共振素子（１４３）の中心に配置される。各々の能動素子用の出力カップリング（１５０）はエンクロージャから延びて、負荷装置（図示せず）への良好な音響取付が可能となる。
【００９２】
図２３はプレート形状能動共振素子の形態の変換器（１６０）を示す。共振素子には、フィンガー（１６４）を形成して複合共振システムを形成するスロット（１６２）が形成されている。共振素子は、スタブ（１６６）の形態の結合手段によってパネル（１６８）に取り付けられる。
【００９３】
図２４Ａ及び図２４Ｂにおいて、変換器（１４）は平面の外側に湾曲した矩形で、米国特許第５６３２８４１号（国際特許出願ＷＯ９６／３１３３３）に開示された形式の、ＮＡＳＤＲＩＶの商標でＰＡＲ  Ｔｅｃｈｎｏｌｏｇｉｅｓ  Ｉｎｃが製造している、圧縮応力が加えられた圧電変換器である。従って、変換器（１４）は能動共振素子である。該変換器は、幅（Ｗ）、長さ（Ｌ）、取付点（１６）位置（Ｘ）を有する。
【００９４】
変換器（１４）が湾曲していることは、結合手段（１６）の取付ラインの形態になることを意味する。変換器が中心を通る短軸に沿った取付ラインに沿って取り付けられると、変換器の２つのアームの共振周波数は一致する。最適なサスペンションポイントはモデル化することができ、共振素子の長さ方向に沿って４３％乃至４４％の取付ラインである。コスト関数（すなわち「悪さ」の尺度）はこの値で最小化され、これは長さの４／９における取付点の推定値に相当する。更にコンピュータによるモデル化により、この取付点が変換器の幅の領域に関して有効であることが示された。共振素子の長さに沿った３３％乃至３４％における第２のサスペンション点もまた適切であると思われる。
【００９５】
長さに沿って４４％に取り付けられた共振素子におけるコスト（すなわち、自乗平均中心比）対アスペクト比（ＡＲ＝Ｗ／２Ｌ）のグラフをプロットすることによって、コスト関数がこの値で最小になることから、最適なアスペクト比は１．０６＋／−０．０１乃至１であるように決定することができる。
【００９６】
パネル（１２）に対する最適取付角度θは、最適な角度を見つけるために２つの「悪さの尺度」を使用して求めることができる。例えば、応答のログ（ｄＢ）大きさの標準偏差は「粗さ」の尺度である。利点／悪さのこのような数字は本出願人らの国際特許出願ＷＯ９９／４１８３９で説明されている。最適化された変換器、すなわちアスペクト比が１．０６：１でモデル化を使用した取付点が４４％の変換器に関しては、取付位置が対称ではないので、取付（１６）ラインを回転させると著しい効果が得られる。換言すれば左側に面しているより長い端部で約２７０°という角度の選択肢がある。
【００９７】
図２５Ａ及び図２５Ｂは、台形断面を有する共振素子形態の非対称形状変換器（１８）を示す。台形の形状は２つのパラメータ、すなわちＡＲ（アスペクト比）及びＴＲ（テーパ比）によって制御される。ＡＲ及びＴＲは、例えばラインのいずれかの側の等価質量などの、ある制約が満足されるように第３のパラメータλを決定する。
【００９８】
等価質量（又は等価面積）の制約方程式は次の通りである。
2005500725.tif 000006
上式は独立変数としてのＴＲ又はλのいずれかに関して以下の式で容易に解くことができる。
2005500725.tif 000007
又は、
2005500725.tif 000008
慣性モーメントを等しくする、又は全慣性モーメントを最小化する等価式が容易に得られる。
等価慣性モーメント（又は面積の等価２次モーメント）に関する制約方程式は次の通りである。
2005500725.tif 000009
2005500725.tif 000010
又は、
2005500725.tif 000011
最少合計慣性モーメントの制約方程式は、
2005500725.tif 000012
2005500725.tif 000013
又は、
2005500725.tif 000014
【００９９】
コスト関数（すなわち「悪さ」尺度）は、ＡＲの０．９から１．２５までの範囲、ＴＲの０．１から０．５の範囲、等価質量において制約されるλでＦＥＡを４０回実行した結果についてプロットした。すなわち変換器は質量中心に取り付けられる。結果は下表に示され、ＡＲ＝１、ＴＲ＝０．３をもつ、λが４３％に近づく最適な形状があることが示される。
2005500725.tif 000015
【０１００】
従って、台形変換器の１つの利点は、変換器が重心／質量中心にあるが対称線ではない取付ラインに沿って取り付けることができることである。従ってそのような変換器には、慣性的に不均衡とならずにモード分布が改善される利点があることになる。先に使用された２つの比較法は、配向の最適な角度として再度２７０°乃至３００°を選択する。
【０１０１】
本発明に使用される変換器は、例えばＷＯ９７／０９８４２に記載されたように変換器が分布モードのオブジェクトとして設計される、分布モードパネルとは相反するものとして理解することができる。
【図面の簡単な説明】
【０１０２】
【図１Ａ】本発明を具現化する使い捨てラウドスピーカの正面斜視図である。
【図１Ｂ】図１ＡのＡＡ線に沿った断面図である。
【図２Ａ】本発明を具現化するラウドスピーカ構成要素の正面斜視図である。
【図２Ｂ】本発明を具現化するラウドスピーカ構成要素の側面図である。
【図３】本発明を具現化するパーソナルコンピュータ用のマウス又はポインティングデバイスの断面図である。
【図４】エンクロージャに取り付けられた本発明を具現化するラウドスピーカの断面図である。
【図５】本発明を具現化する個人用携帯型情報端末又は他の携帯用コンピュータの断面図である。
【図６Ａ】本発明を具現化するラウドスピーカシステムの側面図である。
【図６Ｂ】本発明を具現化するラウドスピーカシステムの平面図である。
【図７】本発明を具現化するラップトップコンピュータの斜視図である。
【図８】本発明を具現化する第２のラップトップコンピュータのＡＡ線に沿った（図７に示される）断面図である。
【図９Ａ】タッチパッド組立体の平面図である。
【図９Ｂ】タッチパッド組立体の断面図である。
【図９Ｃ】電子装置に組み込まれた図９Ａ及び図９Ｂのタッチパッド組立体の部分断面図である。
【図９Ｄ】図９Ａ及び図９Ｂのタッチパッド組立体を組み込んだラップトップのケーシング内部の部分斜視図である。
【図１０Ａ】既知のラップトップにおける音響出力対周波数のグラフ。
【図１０Ｂ】図９Ａのタッチパッド組立体を使用するラップトップにおける音響出力対周波数のグラフ。
【図１０Ｃ】図９Ｂのタッチパッド組立体を使用する第２のラップトップにおける周波数に対してｄＢで表した空間的平均伝達関数のグラフ。
【図１１Ａ】本発明を具現化する個人用携帯型情報端末（ＰＤＡ）の正面図である。
【図１１Ｂ】図１１ＡのＰＤＡの側断面図である。
【図１２Ａ】本発明を具現化する視覚的表示装置（ＶＤＵ）の斜視図である。
【図１２Ｂ】図１２ＡのＶＤＵの一部の断面図である。
【図１３Ａ】本発明を具現化するクレジットカードの正面図である。
【図１３Ｂ】図１３Ａの線Ａ−Ａに沿ったクレジットカードの側断面図である。
【図１３Ｃ】図１３Ａの線Ｂ−Ｂに沿ったクレジットカードの側断面図である。
【図１４】本発明を具現化するグリーティングカードの斜視図である。
【図１５Ａ】本発明を具現化する個人用携帯型情報端末（ＰＤＡ）の正面図である。
【図１５Ｂ】図１５ＡのＰＤＡの側断面図である。
【図１６】本発明に使用することができる別のモード変換器の側面図である。
【図１７】本発明に使用することができる別のモード変換器の側面図である。
【図１８】本発明に使用することができる別のモード変換器の側面図である。
【図１９】本発明に使用することができる別のモード変換器の側面図である。
【図２０】本発明に使用することができる別のモード変換器の側面図である。
【図２１】本発明に使用することができる別のモード変換器の側面図である。
【図２２】本発明に使用することができる別のモード変換器の側面図である。
【図２３】本発明に使用することができる別のモード変換器の平面図である。
【図２４ａ】本発明に使用することができる変換器のパラメータモデルの概略平面図である。
【図２４ｂ】図２４ａの変換器の取付ラインに垂直な断面である。
【図２５ａ】本発明に使用することができる変換器のパラメータモデルの概略平面図である。
【図２５ｂ】図２５ａの変換器の概略平面図である。
【符号の説明】
【０１０３】
６２  変換器
６６  接続スタブ
１９０  デスクトップコンピュータ
１９２  ディスプレイスクリーン
１９４  リッド
１９６  ヒンジ
１９８  ベース
２００  キー
２０１  端部の中心
２０２  タッチパッド
２０４  撓み波音響ラジエータ
【図１０Ａ】
2005500725.tif 000016
【図１０Ｂ】
2005500725.tif 000017
【図１０Ｃ】
2005500725.tif 000018
【国際公開パンフレット】
2005500725.tif 000019
2005500725.tif 000020
2005500725.tif 000021
2005500725.tif 000022
2005500725.tif 000023
2005500725.tif 000024
2005500725.tif 000025
2005500725.tif 000026
2005500725.tif 000027
2005500725.tif 000028
2005500725.tif 000029
2005500725.tif 000030
2005500725.tif 000031
2005500725.tif 000032
2005500725.tif 000033
2005500725.tif 000034
2005500725.tif 000035
2005500725.tif 000036
2005500725.tif 000037
2005500725.tif 000038
2005500725.tif 000039
2005500725.tif 000040
2005500725.tif 000041
2005500725.tif 000042
2005500725.tif 000043
2005500725.tif 000044
2005500725.tif 000045
2005500725.tif 000046
2005500725.tif 000047
2005500725.tif 000048
2005500725.tif 000049
2005500725.tif 000050
2005500725.tif 000051
2005500725.tif 000052
2005500725.tif 000053
2005500725.tif 000054
2005500725.tif 000055
2005500725.tif 000056
2005500725.tif 000057
2005500725.tif 000058
2005500725.tif 000059
2005500725.tif 000060
2005500725.tif 000061
2005500725.tif 000062
2005500725.tif 000063
2005500725.tif 000064
2005500725.tif 000065
2005500725.tif 000066
2005500725.tif 000067
2005500725.tif 000068
2005500725.tif 000069
2005500725.tif 000070
2005500725.tif 000071
2005500725.tif 000072
2005500725.tif 000073
2005500725.tif 000074
2005500725.tif 000075
2005500725.tif 000076
2005500725.tif 000077
【国際公開パンフレット（コレクトバージョン）】
2005500725.tif 000078
2005500725.tif 000079
【国際調査報告】
2005500725.tif 000080
2005500725.tif 000081
2005500725.tif 000082
2005500725.tif 000083